(57)【特許請求の範囲】
【請求項１】
凹状に形成された水受けと、噴流空気を噴射する噴流発生部と、前記噴流発生部と前記水受けの間に手を挿入して手を乾燥させるための処理空間と、光を照射する照射手段と、前記噴流発生部から噴出する空気を送出するファンモータを備えた手乾燥装置であって、前記照射手段により処理空間へ向けて照射する照射光の光路と前記噴流発生部から噴出する空気の風路を一致するようにし、前記噴流発生部と前記ファンモータを連接する通風路の内部に前記照射手段を備え、前記噴流発生部であるノズルを本体から前記処理空間側に突出して備え、前記ノズルを透明な素材とし、前記照射手段をＬＥＤ照明にし、前記ノズルの位置を確認して前記噴流発生部からの噴流空気の通り道に手を当てることができることを特徴とする手乾燥装置。
【請求項２】
光を照射する照射手段から噴流発生部を介して水受けへ向けて光を照射することを特徴とする請求項１記載の手乾燥装置。
【請求項３】
光を照射する照射手段からの光を点滅させることを特徴とする請求項１または２に記載の手乾燥装置。
【請求項４】
光を照射する照射手段からの光の点滅速度を時間により変化させることを特徴とする請求項１〜３のいずれかに記載の手乾燥装置。
【請求項５】
光を照射する照射手段を複数設置して、時間により発色を変化させることを特徴とする請求項１〜４のいずれかに記載の手乾燥装置。
【請求項６】
光を照射する照射手段を複数設置して、発色を変化させることを特徴とする請求項１〜５のいずれかに記載の手乾燥装置。
【請求項７】
光を照射する照射手段の光量を変化させることを特徴とする請求項１〜６のいずれかに記載の手乾燥装置。
【請求項８】
光を照射する照射手段の光量を時間により変化させることを特徴とする請求項１〜７のいずれかに記載の手乾燥装置。
【請求項９】
あかり検知手段を水受けの一部に設置して、前記あかり検知手段により室内空間が暗い場合は、光源の光量を変化させることを特徴とする請求項１〜８のいずれかに記載の手乾燥装置。
【請求項１０】
手検知手段を水受けの一部に設置して、前記手検知手段にて手を検出して、光源を作動させることを特徴とする請求項１〜９のいずれかに記載の手乾燥装置。
【請求項１１】
ファンモータの運転に関係なく、光を照射する照射手段を点灯させることを特徴とする請求項１〜１０のいずれかに記載の手乾燥装置。
【請求項１２】
本体の一部に人検知手段を設け、周辺の人を検知することで光を照射する照射手段を点灯、また人を検知しなくなることで消灯することを特徴とする請求項１〜１１のいずれかに記載の手乾燥装置。
【発明の詳細な説明】
【技術分野】
【０００１】
本発明は洗面所やトイレ等で手を洗い、ぬれた手を乾燥させる手乾燥装置に関するものである。
【背景技術】
【０００２】
従来、この種の手乾燥装置は、高速風により乾燥する方式としたものが知られている（例えば、特許文献１参照）。
【０００３】
以下、その手乾燥装置について図４および図５を参照しながら説明する。
【０００４】
図４および図５に示すように、壁面に固定された本体１０１は、下部に高速噴流を噴き出すノズル部１０２と前記ノズル部１０２から高速噴流を噴き出す方向に設置された水滴回収手段である水受け１０３を付属している。前記ノズル部１０２と前記水受け１０３の間に手を挿入して乾燥させるための処理空間１０４が形成される。前記本体１０１内には送風手段１０５、発熱手段１０６および制御手段１０７が設けられている。処理空間１０４の中に挿入された手を検知して送風手段１０５および発熱手段１０６に通電するための検知手段１０８を本体１０１の一部に付属している。
【０００５】
上記構成において濡れた手を処理空間１０４に挿入すると、検知手段１０８により手の存在を検知して、送風手段１０５および発熱手段１０６を動作させる。これにより本体下部に設置された吸込口１０９から外部空気を吸込み、送風手段１０５と発熱手段１０６を経由して温風が形成されてノズル部１０２より送風される。このとき差し出した手に温風が当たり、手を乾燥させる。手を引っ込めると検知手段１０８の検出がなくなるので、送風手段１０５および発熱手段１０６は停止する。このような運転の作業を制御手段１０７にて実施する。
【０００６】
手から離れた水滴は水受け１０３に集められるが、ノズル部１０２の送風により飛散しやすくなるため、水受け１０３の前部および側部の突出壁１１０を付属して周囲への飛散を防止する構成になっている。また水受けにて回収した水滴は、水受けにあるドレン穴１１１を通過して、ドレンタンク１１２に一定の量を溜められる。ドレンタンク１１２は定期的にメンテナンスされ回収された水滴を廃棄するようになっている。
【特許文献１】特開平１０−７１１０１号公報
【発明の開示】
【発明が解決しようとする課題】
【０００７】
このような従来の手乾燥装置では、高速噴流によって手に付いた水滴を吹き飛ばす前記ノズルの位置が前記本体下面にあるため、風の当たる位置がわかりにくいという課題があり、また手挿入の時に処理空間が暗いため、手を挿入する際に不安感があるという課題がある。
【０００８】
本発明は、このような従来の課題を解決するものであり、ノズルの位置がわかりやすく、処理空間へ向けて照射する光が視覚的に風が一番当たる場所を明確にすることができ、水滴のある場所を容易に確認する。また、手を乾燥させる処理空間を明るく照らすことで、閉塞感をなくし、清潔感を向上することができる手乾燥装置を提供することを目的としている。
【課題を解決するための手段】
【００１０】
本発明の手乾燥装置は、上記目的を達成するために、凹状に形成された水受けと、噴流空気を噴射する噴流発生部と、前記噴流発生部と前記水受けの間に手を挿入して手を乾燥させるための処理空間と、光を照射する照射手段と、前記噴流発生部から噴出する空気を送出するファンモータを備えた手乾燥装置であって、前記照射手段により処理空間へ向けて照射する照射光の光路と前記噴流発生部から噴出する空気の風路を一致するようにし、前記噴流発生部と前記ファンモータを連接する通風路の内部に前記照射手段を備え、前記噴流発生部であるノズルを本体から前記処理空間側に突出して備え、前記ノズルを透明な素材とし、前記照射手段をＬＥＤ照明にし、前記ノズルの位置を確認して前記噴流発生部からの噴流空気の通り道に手を当てることができるものであり、本発明によれば、ノズルを透明な素材として、光を照射する照射手段の光が水受け以外にも届くようにすることで、噴流発生部、すなわち、噴流を噴出するノズルの位置、およびノズルから噴出される噴流空気の通り道、すなわち風路を確認しやすく、その噴流空気の通り道に手を当てることができ、短時間に効果的に濡れた手の乾燥を行うことができることとなる。濡れた手を照射光の光路に当てれば、同時に噴流発生部から噴出する噴流空気も当たり、また、処理空間へ向けて照射する光の光路と噴流発生部から噴出する空気の風路とが一致し、視覚的に風が一番当たる場所を明確にでき、濡れた手の水滴のある場所を容易に確認でき、短時間で効果的に濡れた手を乾燥できるとともにノズル内部からの光源による光が、手を乾燥させる処理空間を明るく照らすことで、閉塞感をなくし、清潔感を向上する手乾燥装置が得られる。
【００１２】
また、光を照射する照射手段から噴流発生部を介して処理空間へ向けて光を照射する照射手段から噴流発生部を介して処理空間へ向けて光を照射することを特徴とする。
【００１３】
また、光を照射する照射手段からの光を点滅させることを特徴とする。
【００１４】
また、光を照射する照射手段からの光の点滅速度を時間により変化させることを特徴とする。
【００１５】
また、光を照射する照射手段の発色を変化させることを特徴とする。
【００１６】
また、光を照射する照射手段の発色を時間により変化させることを特徴とする。
【００１７】
また、光を照射する照射手段の光量を変化させることを特徴とする。
【００１８】
また、光を照射する照射手段の光量を時間により変化させることを特徴とする。
【００２０】
また、あかり検知手段を水受けの一部に設置して、前記あかり検知手段により室内空間が暗い場合は、光を照射する照射手段の光量を変化させることを特徴とする。
【００２１】
また、手検知手段を水受けの一部に設置して、前記手検知手段にて手を検出して、光を照射する照射手段を作動させることを特徴とする。
【００２５】
また、ファンモータの運転に関係なく、光を照射する照射手段を点灯させることを特徴とする。
【００２６】
また、本体の一部に人検知手段を設け、周辺の人を検知することで光を照射する照射手段を点灯、また人を検知しなくなることで消灯することを特徴とする。
【発明の効果】
【００２８】
本発明によれば、凹状に形成された水受けと、噴流空気を噴射する噴流発生部と、前記噴流発生部と前記水受けの間に手を挿入して手を乾燥させるための処理空間と、光を照射する照射手段と、前記噴流発生部から噴出する空気を送出するファンモータを備えた手乾燥装置であって、前記照射手段により処理空間へ向けて照射する光の光路と前記噴流発生部から噴出する空気の風路を一致するようにし、前記噴流発生部と前記ファンモータを連接する通風路の内部に前記照射手段を備え、前記噴流発生部であるノズルを本体から前記処理空間側に突出して備え、前記ノズルを透明な素材とし、前記照射手段をＬＥＤ照明にしたことにより、ノズルを透明な素材として、光を照射する照射手段の光が水受け以外にも届くようにすることで、噴流発生部、すなわち、噴流を噴出するノズルの位置、およびノズルから噴出される噴流空気の通り道、すなわち風路を確認しやすく、その噴流空気の通り道に手を当てることができ、短時間に効果的に濡れた手の乾燥を行うことができることとなる。処理空間へ向けて照射する照射光の光路とノズルから噴出する吹出し空気の風路とが一致し、濡れた手を照射光の光路に当てれば、同時に噴流発生部から噴出する噴流空気も当たり、また、処理空間へ向けて照射する光が視覚的に風が一番当たる場所を明確にすることで、光の当たるところに高速の噴流が衝突するため、残留した水滴の付着した部分をノズルからの光の位置に持っていくことで乾燥を容易にすることができ、ノズル内部から照射される光により、手に残留した水滴への視認性の向上をするとともに手を挿入する際の違和感を無くし、また、噴流発生部、すなわち、噴流を噴出するノズルの位置がわかりやすくなるという効果のある手乾燥装置を提供できる。
【００２９】
また、光を照射する照射手段から噴流発生部を介して処理空間へ向けて光を照射することにより同様の効果のある手乾燥装置を提供できる。
【００３１】
また、光を照射する照射手段から噴流発生部を介して処理空間へ向けて光を照射することにより同様の効果のある手乾燥装置を提供できる。
【００３２】
また、光を照射する照射手段からの光を点滅させることにより同様の効果と共に、光の点滅回数によって手乾燥に生じる経過時間を推定することが可能の効果のある手乾燥装置を提供できる。
【００３３】
また、光を照射する照射手段からの光の点滅速度を時間により変化させることにより同様の効果と共に、光の点滅速度を時間により変化させることで事前に推定した推定手乾燥時間を知らせることが可能の効果のある手乾燥装置を提供できる。
【００３４】
また、光を照射する照射手段の発色を変化させることにより同様の効果と共に、発色の変化回数によって手乾燥に生じる経過時間を推定することが可能の効果のある手乾燥装置を提供できる。
【００３５】
また、光を照射する照射手段を複数設置して、時間により発色を変化させることにより同様の効果と共に、発色の変化を時間により変化させることで事前に推定した推定手乾燥時間を知らせることが可能の効果のある手乾燥装置を提供できる。
【００３６】
また、光を照射する照射手段の光量を変化させることにより同様の効果と共に、光量の増減変化によって乾燥に生じる経過時間を推定することが可能の効果のある手乾燥装置を提供できる。
【００３７】
また、光を照射する照射手段の光量を時間により変化させることにより同様の効果と共に、光量の増減変化を時間により変化させることで事前に推定した推定手乾燥時間を知らせることが可能の効果のある手乾燥装置を提供できる。
【００３９】
また、あかり検知手段を水受けの一部に設置して、前記あかり検知手段により室内空間が暗い場合は、光を照射する照射手段の光量を変化させることにより同様の効果のある手乾燥装置を提供できる。
【００４０】
また、手検知手段を水受けの一部に設置して、前記手検知手段にて手を検出して、光を照射する照射手段を作動させることにより同様の効果のある手乾燥装置を提供できる。
【００４４】
また、ファンモータの運転に関係なく、光を照射する照射手段を点灯させることにより同様の効果と共に、トイレ及び洗面空間の補助照明としての効果のある手乾燥装置を提供できる。
【００４５】
また、本体の一部に人検知手段を設け、周辺の人を検知することで光を照射する照射手段を点灯、また人を検知しなくなることで消灯することにより同様の効果と共に、トイレ及び洗面空間において、手乾燥装置の使用を促すことが可能の効果のある手乾燥装置を提供できる。
【発明を実施するための最良の形態】
【００４７】
本発明の請求項１記載の発明は、凹状に形成された水受けと、噴流空気を噴射する噴流発生部と、前記噴流発生部と前記水受けの間に手を挿入して手を乾燥させるための処理空間と、光を照射する照射手段と、前記噴流発生部から噴出する空気を送出するファンモータを備えた手乾燥装置であって、前記照射手段により処理空間へ向けて照射する光の光路と前記噴流発生部から噴出する空気の風路を一致するようにし、前記噴流発生部と前記ファンモータを連接する通風路の内部に前記照射手段を備え、前記噴流発生部であるノズルを本体から前記処理空間側に突出して備え、前記ノズルを透明な素材とし、前記照射手段をＬＥＤ照明にしたものであり、ノズルを透明な素材として、光を照射する照射手段の光が水受け以外にも届くようにすることで、噴流発生部、すなわち、噴流を噴出するノズルの位置、およびノズルから噴出される噴流空気の通り道、すなわち風路を確認しやすく、その噴流空気の通り道に手を当てることができ、短時間に効果的に濡れた手の乾燥を行うことができることとなる。処理空間へ向けて照射する照射光の通り道である照射光の光路とノズルから噴出する噴流空気の風路が同一となり、濡れた手を照射光の光路に当てれば、同時に噴流発生部から噴出する噴流空気も当たり、また、処理空間へ向けて照射する光が視覚的に風が一番当たる場所を明確にすることができ、ノズルの位置がわかりやすく、手元を明るくすることで、濡れた手の水滴のある場所を容易に確認でき、短時間で容易に効率的に水滴を除去、濡れた手を乾燥することができるという作用を有する。
【００４８】
また、手を乾燥させる前記処理空間を明るく照らすことで閉塞感をなくし、清潔感を向上するという作用を有する。
【００４９】
以下、本発明の実施の形態について図面を参照しながら説明する。
【００５０】
（実施の形態１）
図１に示すように、壁面に固定された手乾燥装置１は、噴流発生部、すなわち、噴流を吹出すノズル２を凹状に形成された水受け３の上面に備え、凹状に形成された水受け３は、ノズル２から高速噴流空気を噴き出す方向に設置され、濡れた手から吹き飛ばされた水滴を回収することを目的として、手乾燥装置１に備えられている。ノズル２と水受け３の間に手を挿入して手を乾燥させるための処理空間４が備えられている。ノズル２の内部には光を照射する照射手段としての光源５を備えており、手乾燥装置１にはノズル２のほか、内部にファンモータ６、セラミックヒーター等を用いた発熱手段７、通風路８、赤外線による手検知手段９、赤外線による人検知手段１０、制御手段１１および本体操作手段１２が設けられている。発熱手段７としては、発熱できればよく、セラミックヒーター等があり、手検知手段９、人検知手段１０としては、手あるいは人が検知できればよく、焦電型の赤外線センサーを用いた人検知センサーなどがある。光を照射する照射手段として、光源５があり、ＬＥＤなどがある。
【００５１】
処理空間４には、光により電圧を変える半導体をもちいて光量を検知するあかり検知手段１３を、水受け３を構成する面の一部に備えている。処理空間４の中に挿入された手を、手検知手段９としての赤外線センサーにより検知して、ファンモータ６、発熱手段７および光を照射する照射手段としての光源５に通電する。これにより本体下部に設置された吸込口１４から外部空気を吸込み、ファンモータ６と発熱手段７を経由して温風が形成されて、高速風が、噴流発生部、すなわち、噴流を吹出すノズル２より吹出される。
【００５２】
このとき差し出した手に温風が当たり、手を乾燥させると同時に、ノズル２の内部の光を照射する照射手段としての光源５から光が照射され、その照射光の光路と噴流発生部、すなわち、噴流を吹出すノズル２から噴出された空気の風路とが一致しているため、濡れた手を照射光に当てるだけで、効果的に濡れた手をノズル２から噴出された空気に当てることができ、短時間で効率的な濡れた手の乾燥ができ、また、処理空間４及び、挿入された手を明るく照らすことができる。ノズル２を透明な素材として、光を照射する照射手段としての光源５の光が水受け３以外にも届くようにすることで、使用者がノズル２の位置、およびノズル２から噴出される噴流空気の通り道、すなわち風路を確認しやすく、その噴流空気の通り道に手を当てることができ、短時間に効果的に濡れた手の乾燥を行うことができることとなる。人検知手段１０は赤外線による検知で、手乾燥装置１の周辺の人を検知することで光源を点灯、また人を検知しなくなることで消灯する。
【００５３】
図２に示すように、本体操作手段１２は、操作部に本体全ての電源の入り及び切り操作を行う本体ＯＮ・ＯＦＦスイッチ１２１、照明電源の入り及び切り操作をおこなう照明ＯＮ・ＯＦＦスイッチ１２２をもち、照明動作において、点灯設定スイッチ１２３が全点灯、１秒間で点滅サイクルを繰り返す点滅、１秒を基準として赤点灯１秒、青点灯１秒、緑点灯１秒を繰り返すことで手乾燥の時間をはかる発色変化を切替え、乾燥時間の目安である９秒間点滅をおこなうことで視覚的に手乾燥の目安をつけるための点滅時間設定ボタン１２４、乾燥時間の目安である９秒間発色変化をおこなうことで視覚的に手乾燥の目安をつけるための発色時間設定ボタン１２５を持ち、また、あかるさ検知において、ＪＩＳの照度基準である便所空間の照度１００ルクスを基準として、６０ルクスから１４０ルクスまでのあかるさ検知照度を設定できるあかるさ検知設定つまみ１２６をもつ。
【００５４】
上記構成において、図３に示すように手検知手段９は本体操作手段１２内の本体ＯＮ・ＯＦＦスイッチ１２１のＯＮ入力を受け、手を検知することによって、制御手段１１へ信号を送り、制御手段１１により、ファンモータ６および発熱手段７へ通電指示を出すと同時に、光源５へ、点灯設定の全点灯、点滅及び発色変化、点滅時間設定の有り及び無し、発色時間設定の有り及び無しの確認を経由し点灯する。制御手段１１は通電指示のほかに内部にタイマーを持ち、ファンモータ６及び発熱手段７の運転開始後６０秒後に自動停止する。また点滅時間設定ボタン１２４に対して乾燥時間９秒を計測し点灯切替を行う、同様に発色時間設定ボタン１２５に対して乾燥時間９秒を計測し点灯切替を行う。人検知手段１０は本体操作手段１２内の本体ＯＮ・ＯＦＦスイッチ１２１のＯＮ入力を受け、赤外線による検知で、手乾燥装置１の周辺の人を検知することで信号をあかり検知手段１３へ送る。あかり検知手段１３は光により電圧を変える半導体をもちいて光量を検知し、あかるさ検知設定つまみ１２６により設定された照度より、測定した照度が暗いと判断すると制御手段１１を経由し光源５が点灯する。光源５は一定の暗さになっていなくても手検知手段９により手を検知すると、ファンモータ６および発熱手段７を動作させ、光源５を点灯させる。ＬＥＤランプを用いることで点滅させることもできる、発色を時間と共に変化させることもできる。殺菌灯にすることで紫外線による殺菌効果を付加することができ、光源５をハロゲンランプにすることで熱源を付加することもできる。
【００５５】
なお、前記ファンモータ６は、一般的に掃除機などに使用される電動送風機であり、ブラシ付モータによるものおよびブラシレスモータによるものを含み、ターボファンを使用しモータの高速回転による温度上昇を冷却しながら送出するものである。
【産業上の利用可能性】
【００５６】
本発明にかかる手乾燥装置は、ノズル部とファンモータを連接する通風路の内部に光源を設けたことにより、ノズル内部からの光源による光で、ノズルの位置がわかりやすく、処理空間へ向けて照射する光が視覚的に風が一番当たる場所を明確にすることができ、手元を明るくすることで、水滴のある場所を容易に確認できるという効果がある。また、手を乾燥させる前記処理空間を明るく照らすことで閉塞感をなくし、清潔感を向上するという効果がある。よって、洗面所やトイレ等で手を洗い、濡れた手を乾燥させる装置等に有効であり、また、一般的に液体によって濡れたものを乾燥させる用途としても適用できる。
【図面の簡単な説明】
【００５７】
【図１】本発明の実施の形態１の構造を示す側断面図
【図２】同本体操作部の図
【図３】同制御手段の動作を示すパート図
【図４】従来の手乾燥装置の一例を示す側断面図
【図５】同斜視図
【符号の説明】
【００５８】
１      手乾燥装置
２      ノズル
３      水受け
４      処理空間
５      光源
６      ファンモータ
７      発熱手段
８      通風路
９      手検知手段
１０    人検知手段
１１    制御手段
１２    本体操作手段
１３    あかり検知手段
１４    吸込口
１２１  本体ＯＮ・ＯＦＦスイッチ
１２２  照明ＯＮ・ＯＦＦスイッチ
１２３  点灯設定スイッチ
１２４  点滅時間設定ボタン
１２５  発色時間設定ボタン
１２６  あかるさ検知設定つまみ
【図１】
0004810945.tif 000002
【図２】
0004810945.tif 000003
【図３】
0004810945.tif 000004
【図４】
0004810945.tif 000005
【図５】
0004810945.tif 000006